(57)【要約】      （修正有）【課題】改善されたミリ波通信を行うための装置及び方法を提供する。【解決手段】無線通信ユニット１０８を有する装置１０６は、第１及び第２の無線通信周波数バンドで通信するように形成され、無線通信ユニット１０８は、第２の無線通信周波数バンドで通信できることを示す情報要素、および無線通信ユニット１０８が第２の無線通信周波数バンドで通信する際に行う役割を示すフィールドを含む情報要素を、第１の無線通信周波数バンドで送信する。役割は、１）アクセスポイント（ＡＰ）、２）ＰＢＳＳ制御部（ＰＣＰ）、及び３）非ＰＣＰ／非ＡＰから成る役割のリストの中から選択される。【選択図】図１
2014209779.tif 000002
【特許請求の範囲】
【請求項１】
第１及び第２の無線通信周波数バンドで通信するように形成された無線通信ユニットを有する装置であって、
前記無線通信ユニットは、前記無線通信ユニットが前記第２の無線通信周波数バンドで通信できることを示す情報要素を、前記第１の無線通信周波数バンドで送信する、装置。  
【請求項２】
前記情報要素は、前記無線通信ユニットが前記第２の無線通信周波数バンドで通信する際に行う役割を示すフィールドを含む、請求項１に記載の装置。
【請求項３】
前記役割は、１）アクセスポイント（ＡＰ）、２）ＰＢＳＳ制御部（ＰＣＰ）、及び３）非ＰＣＰ／非ＡＰから成る役割のリストの中から選択される、請求項２に記載の装置。
【請求項４】
前記第１の無線通信周波数バンドは、６０ギガヘルツ周波数バンド、２．４ギガヘルツ周波数バンド及び５ギガヘルツ周波数バンドのうちの何れかを含み、
前記第２の無線通信周波数バンドは、６０ギガヘルツ周波数バンド、２．４ギガヘルツ周波数バンド及び５ギガヘルツ周波数バンドのうちの別の何れかを含む、請求項１に記載の装置。
【請求項５】
コンピュータで読み取ることが可能な記憶媒体であって、装置に方法を実行させる命令を記憶し、前記方法は、
第１の無線通信周波数バンドにより無線通信装置から、第２の無線通信周波数バンドで通信する能力を示す情報要素を送信するステップを有する、記憶媒体。
【請求項６】
前記情報要素は、前記無線通信装置が前記第２の無線通信周波数バンドで通信する際に行う役割を示すフィールドを含む、請求項５に記載の記憶媒体。
【請求項７】
前記役割は、１）アクセスポイント（ＡＰ）、２）ＰＢＳＳ制御部（ＰＣＰ）、及び３）非ＰＣＰ／非ＡＰから成る役割のリストの中から選択される、請求項６に記載の記憶媒体。
【請求項８】
前記第１の無線通信周波数バンドは、６０ギガヘルツ周波数バンド、２．４ギガヘルツ周波数バンド及び５ギガヘルツ周波数バンドのうちの何れかを含み、
前記第２の無線通信周波数バンドは、６０ギガヘルツ周波数バンド、２．４ギガヘルツ周波数バンド及び５ギガヘルツ周波数バンドのうちの別の何れかを含む、請求項５に記載の記憶媒体。
【請求項９】
無線ネットワークにおける通信方法であって、
第１の無線通信周波数バンドにより無線通信装置から、第２の無線通信周波数バンドで通信する能力を示す情報要素を送信するステップを有する、通信方法。
【請求項１０】
前記情報要素は、前記無線通信装置が前記第２の無線通信周波数バンドで通信する際に行う役割を示すフィールドを含む、請求項９に記載の通信方法。
【請求項１１】
前記役割は、１）アクセスポイント（ＡＰ）、２）ＰＢＳＳ制御部（ＰＣＰ）、及び３）非ＰＣＰ／非ＡＰから成る役割のリストの中から選択される、請求項１０に記載の通信方法。
【請求項１２】
前記第１の無線通信周波数バンドは、６０ギガヘルツ周波数バンド、２．４ギガヘルツ周波数バンド及び５ギガヘルツ周波数バンドのうちの何れかを含み、
前記第２の無線通信周波数バンドは、６０ギガヘルツ周波数バンド、２．４ギガヘルツ周波数バンド及び５ギガヘルツ周波数バンドのうちの別の何れかを含む、請求項９に記載の通信方法。
【請求項１３】
第１及び第２の無線通信周波数バンドで第２の無線通信装置と通信するように形成された第１の無線通信装置であって、
前記第２の無線通信装置が前記第２の無線通信周波数バンドで通信できることを示す情報要素を、前記第１の無線通信周波数バンドで受信する、第１の無線通信装置。  
【請求項１４】
前記情報要素は、前記第２の無線通信装置が前記第２の無線通信周波数バンドで通信する際に行う役割を示すフィールドを含む、請求項１３に記載の第１の無線通信装置。
【請求項１５】
前記役割は、１）アクセスポイント（ＡＰ）、２）ＰＢＳＳ制御部（ＰＣＰ）、及び３）非ＰＣＰ／非ＡＰから成る役割のリストの中から選択される、請求項１４に記載の第１の無線通信装置。
【請求項１６】
前記第１の無線通信周波数バンドは、６０ギガヘルツ周波数バンド、２．４ギガヘルツ周波数バンド及び５ギガヘルツ周波数バンドのうちの何れかを含み、
前記第２の無線通信周波数バンドは、６０ギガヘルツ周波数バンド、２．４ギガヘルツ周波数バンド及び５ギガヘルツ周波数バンドのうちの別の何れかを含む、請求項１３に記載の第１の無線通信装置。
【請求項１７】
コンピュータで読み取ることが可能な記憶媒体であって、装置に方法を実行させる命令を記憶し、前記方法は、
第１の無線通信周波数バンドにより無線通信装置から、前記無線通信装置が第２の無線通信周波数バンドで通信できることを示す情報要素を受信するステップを有する、記憶媒体。
【請求項１８】
前記情報要素は、前記無線通信装置が前記第２の無線通信周波数バンドで通信する際に行う役割を示すフィールドを含む、請求項１７に記載の記憶媒体。
【請求項１９】
前記役割は、１）アクセスポイント（ＡＰ）、２）ＰＢＳＳ制御部（ＰＣＰ）、及び３）非ＰＣＰ／非ＡＰから成る役割のリストの中から選択される、請求項１８に記載の記憶媒体。
【請求項２０】
前記第１の無線通信周波数バンドは、６０ギガヘルツ周波数バンド、２．４ギガヘルツ周波数バンド及び５ギガヘルツ周波数バンドのうちの何れかを含み、
前記第２の無線通信周波数バンドは、６０ギガヘルツ周波数バンド、２．４ギガヘルツ周波数バンド及び５ギガヘルツ周波数バンドのうちの別の何れかを含む、請求項１７に記載の記憶媒体。
【請求項２１】
無線ネットワークにおける通信方法であって、
第１の無線通信周波数バンドにより無線通信装置から、前記無線通信装置が第２の無線通信周波数バンドで通信できることを示す情報要素を受信するステップを有する通信方法。
【請求項２２】
前記情報要素は、前記無線通信装置が前記第２の無線通信周波数バンドで通信する際に行う役割を示すフィールドを含む、請求項２１に記載の通信方法。
【請求項２３】
前記役割は、１）アクセスポイント（ＡＰ）、２）ＰＢＳＳ制御部（ＰＣＰ）、及び３）非ＰＣＰ／非ＡＰから成る役割のリストの中から選択される、請求項２２に記載の通信方法。
【請求項２４】
前記第１の無線通信周波数バンドは、６０ギガヘルツ周波数バンド、２．４ギガヘルツ周波数バンド及び５ギガヘルツ周波数バンドのうちの何れかを含み、
前記第２の無線通信周波数バンドは、６０ギガヘルツ周波数バンド、２．４ギガヘルツ周波数バンド及び５ギガヘルツ周波数バンドのうちの別の何れかを含む、請求項２１に記載の通信方法。
【発明の詳細な説明】
【技術分野】
【０００１】
本発明はマルチバンド無線通信ユニットを有する装置、システム、通信セッション移行方法及び製品等に関連する。
【背景技術】
【０００２】
例えば30ギガヘルツ(GHz)及び300GHzの間の周波数のようなEHF(Extremely  High  Frequency)方式の通信バンド(ミリ波周波数バンド)は、比較的高いスループットをもたらす。しかしながら、ミリ波周波数バンドの通信リンクは、例えば酸素吸収率等に起因して、より低い周波数バンドで動作する通信リンク(例えば、2.4GHz又は5GHz(2.4/5GHz)周波数バンド等)よりもロバスト性が低くなってしまう。
【先行技術文献】
【特許文献】
【０００３】
【特許文献１】米国特許出願公開第2009-0088089号明細書
【特許文献２】米国特許出願公開第2005-0281227号明細書
【特許文献３】韓国特許出願公開第10-2007-0043346号明細書
【特許文献４】国際公開第2006-080749号明細書
【発明の概要】
【発明が解決しようとする課題】
【０００４】
本発明の課題は、ミリ波周波数バンドにおける通信を改善することが可能な装置、システム、方法及び製品等を提供することである。
【課題を解決するための手段】
【０００５】
一実施形態による装置は、
少なくとも第1及び第2の無線通信周波数バンドで通信を行うことが可能なマルチバンド無線通信ユニットを有する装置であって、
前記無線通信ユニットは、前記第1の無線通信周波数バンドにおける無線通信装置との少なくとも1つのセッションの際に、媒体アクセス制御アドレスを用いて該無線通信ユニットを識別し、
前記無線通信ユニットは、前記第1の無線通信周波数バンドから前記第2の無線通信周波数バンドへ前記少なくとも1つのセッションを移行させ、前記第2の無線通信周波数バンドにおけるセッションの際に、前記の同じ媒体アクセス制御アドレスを用いて前記無線通信ユニットを識別する、装置である。
【図面の簡単な説明】
【０００６】
【図１】一実施形態によるシステムの概略ブロック図。
【図２】一実施形態によるマルチバンド情報要素を概略的に示す図。
【図３】一実施形態によるセッショントランスファ要求フレームを概略的に示す図。
【図４】一実施形態によるセッショントランスファ応答フレームを概略的に示す図。
【図５】第1及び第2の無線通信周波数バンドの間で無線通信セッションを移行させる一実施形態による方法例を示すフローチャート。
【図６】一実施形態による製品を概略的に示すブロック図。
【発明を実施するための形態】
【０００７】
説明の簡明化のため、図示されている要素は必ずしも寸法を示しているわけではない。例えば、表示の明確さの観点から、ある要素の寸法は他の要素よりも強調されているかもしれない。また、図中、対応する或いは類似する要素を示すために参照番号が反復的に使用されるかもしれない。図面についての説明は「図面の簡単な説明」の欄に示されている。
【０００８】
［詳細な説明］
以下の詳細な説明において、実施例の充分な理解を促すために多くの具体的詳細が説明される。しかしながら実施例はそのような具体的詳細によらずに実現されてもよいことを、当業者は認めるであろう。また、周知の方法、手順、素子、手段、ユニット及び/又は回路は説明を複雑化してしまわないように詳細には説明されていない。
【０００９】
例えば「処理」、「演算」、「計算」、「決定」、「設定」、「分析」、「検査」等のような用語を用いた本願における説明は、コンピュータ等(コンピュータ、コンピュータプラットフォーム、コンピュータシステム又はその他の電子コンピュータ装置)の処理及び/又は手順に関連しており、そのコンピュータ等は、コンピュータのレジスタ及び/又はメモリ内の物理量(例えば、電子)として表現されるデータを処理し及び/又は、処理及び/又は手順を実行する命令を保存するコンピュータのレジスタ及び/又はメモリ又は他の情報ストレージ内の物理量として表現される同様な他のデータに変換する。
【００１０】
本願で使用されている「複数」及び「複数の」という用語は例えば「多数」又は「2つ以上」の意味を含む。例えば、「複数のアイテム」は2以上のアイテムを含む。
【００１１】
実施例は様々な装置及びシステムに関連して使用されてよく、例えば、パーソナルコンピュータ(PC)、デスクトップコンピュータ、モバイルコンピュータ、ラップトップコンピュータ、ノートブックコンピュータ、タブレットコンピュータ、サーバーコンピュータ、携帯コンピュータ、携帯装置、パーソナルディジタルアシスタント(PDA)装置、携帯PDA装置、オンボードデバイス、オフボードデバイス、ハイブリッドデバイス、車載装置、非車載装置、モバイル装置、ポータブル装置、コンシューマ装置、移動不可能な装置、携帯不可能な装置、無線通信局、無線通信装置、無線アクセスポイント(AP)、有線ルータ、無線ルータ、有線モデム、無線モデム、ビデオ装置、オーディオ装置、オーディオビデオ(A/V)装置、セットトップボックス(STB)、ブルーレイディスク(BD)プレーヤ、BDレコーダ、ディジタルビデオディスク(DVD)プレーヤ、高解像度(HD)DVDプレーヤ、DVDレコーダ、HD-DVDレコーダ、パーソナルビデオレコーダ(PVR)、ブロードキャストHD受信機、ビデオソース、オーディオソース、ビデオシンク、オーディオシンク、ステレオチューナ、ブロードキャスト無線受信機、フラットパネルディスプレイ、パーソナルメディアプレーヤ(PMP)、ディジタルビデオカメラ(DVC)、ディジタルオーディオプレーヤ、スピーカ、オーディオ受信機、オーディオ増幅器、ゲーム装置、データソース、データシンク、ディジタル静止画カメラ(DSC)、有線ネットワーク、無線ネットワーク、無線エリアネットワーク、無線ビデオエリアネットワーク(WVAN)、ローカルエリアネットワーク(LAN)、無線LAN(WLAN)、パーソナルエリアネットワーク(PAN)、無線PAN(WPAN)、既存のIEEE802.11(IEEE802.11-1999:Wireless  LAN  Medium  Access  Control  (MAC)  and  Physical  Layer  (PHY)  specifications)、802.11a、802.11b、802.11g、802.11h、802.11j、802.11n、802.11タスクグループad(TGad)、802.16、802.16d、802.16e、802.16f等の標準仕様及び/又はそれらの将来的な変形版及び/又は派生版に従って動作する装置及び/又はネットワーク、既存のワイヤレスギガビットアライアンス(WGA)及び/又はWirelessHD標準仕様及び/又は及び/又はそれらの将来的な変形版及び/又は派生版に従って動作する装置及び/又はネットワーク、それらのネットワークの一部をなすユニット及び/又はデバイス、一方向無線通信システム、双方向無線通信システム、セルラ無線電話通信システム、セルラ電話、無線電話、パーソナル通信システム(PCS)装置、無線通信装置を組み込んだPDA装置、モバイル又はポータブルグローバルポジショニングシステム(GPS)装置、GPS受信機又はトランシーバ又はチップを組み込んだ装置、RFID素子又はチップを組み込んだ装置、マルチインプットマルチアウトプット(MIMO)トランシーバ又は装置、シングルインプットマルチアウトプット(SIMO)トランシーバ又は装置、マルチインプットシングルアウトプット(MISO)トランシーバ又は装置、1つ以上の内部アンテナ及び/又は外部アンテナを有する装置、ディジタルビデオブロードキャスト(DVB)装置又はシステム、マルチスタンダード無線装置又はシステム、有線又は無線携帯装置(例えば、BlackBerry(登録商標)、Palm  Treo(登録商標)等)、無線アプリケーションプロトコル(WAP)装置等である。
【００１２】
実施例は1つ以上のタイプの無線通信信号及び/又はシステムに関連して使用され、例えば、無線周波数(RF)、赤外線(IR)、周波数分割多重(FDM)、直交FDM(OFDM)、時分割多重(TDM)、時分割多重アクセス(TDMA)、拡張TDMA(E-TDMA)、ゼネラルパケット無線サービス(GPRS)、拡張GPRS、符号分割多重アクセス(CDMA)、ワイドバンドCDMA(WCDMA)、CDMA2000、シングルキャリアCDMA、マルチキャリアCDMA、マルチキャリア変調(MDM)、離散マルチトーン(DMT)、ブルートゥース(登録商標)、グローバルポジショニングシステム(GPS)、Wi-Fi、Wi-Max、ZigBee、ウルトラワイドバンド(UWB)、移動通信用グローバルシステム(GSM（登録商標）)、2G、2.5G、3G、3.5G、GSM（登録商標）エボリューション用の拡張データレート(EDGE)等に関して使用されてもよい。他の形態が様々な他の装置、システム及び/又はネットワークにおいて使用されてもよい。
【００１３】
本願において使用される「無線装置」という用語は、例えば、無線通信を行うことが可能な装置、無線通信を行うことが可能な通信装置、無線通信を行うことが可能な通信局、無線通信を行うことが可能な携帯用又は携帯用でない装置等を含む。一実施形態において、無線装置はコンピュータと共に統合されている周辺装置である又は周辺装置を含んでいてもよいし、或いはコンピュータに取り付けられた周辺装置であってもよい。一実施形態において、「無線装置」という用語は選択的に無線サービスを含む。
【００１４】
一実施形態は、例えば、WLAN、「ピコネット」、WPAN、WVAN等のような範囲が限定された又は近距離の適切な無線通信ネットワークに関連して使用されてもよい。
【００１５】
一実施形態は60GHzの周波数帯域に関して説明されている。しかしながら他の実施形態は他の任意の適切な無線通信周波数バンドを利用して実現されてもよく、例えば、超高周波(EHF)バンド(ミリメートル波(mm波)周波数バンド)、30GHzないし300GHzの範囲内の周波数の周波数バンド、WLAN周波数バンド、WPAN周波数バンド、IEEE802.11及び/又はWGA標準仕様に従う周波数バンド等が使用されてもよい。
【００１６】
図1に示されているように、一実施形態において、システム100は、コンテンツ、データ、情報及び/又は信号を1つ以上の適切な無線通信リンク(例えば、無線チャネル、IRチャネル、RFチャネル、ワイヤレスフィデリティ(WiFi)チャネル等)を介して通信することが可能な1つ以上の無線通信装置を含む無線エリアネットワークを含む。システム100の1つ以上の要素は、選択的に、適切な任意の有線通信リンクを介して通信することが可能である。
【００１７】
一実施形態において、通信局102、105及び/又は106は、例えば、PC、デスクトップトップコンピュータ、モバイルコンピュータ、ラップトップコンピュータ、ノートブックコンピュータ、タブレットコンピュータ、サーバーコンピュータ、携帯コンピュータ、携帯装置、PDA装置、携帯PDA装置、オンボード装置、オフボード装置、ハイブリッド装置(例えば、セルラ電話機能とPDA装置の機能とを組み合わせた装置)、コンシューマ装置、車両装置、非車両装置、モバイル装置、ポータブル装置、非モバイル装置、非ポータブル装置、セルラ電話、PCS装置、無線通信装置を組み込んだPDA装置、モバイルGPS装置、ポータブルGPS装置、DVB装置、比較的小さなコンピュータ装置、非デスクトップコンピュータ、「キャリースモールリブラージ(Carry  Small  Live  Large:  CSLL)」装置、ウルトラモバイル装置(UMD)、ウルトラモバイルPC(UMPC)、モバイルインターネット装置(MID)、「オリガミ(Origami)」デバイス又はコンピュータ装置、動的に構築可能な機能(Dynamically  Composable  Computing:DCC)をサポートする装置、コンテキストアウェア装置、ビデオデバイス、オーディオデバイス、A/V装置、STB、BDプレーヤ、BDレコーダ、DVDプレーヤ、HD-DVDプレーヤ、DVDレコーダ、HD-DVDレコーダ、PVR、ブロードキャストHD受信機、ビデオソース、オーディオソース、ビデオシンク、オーディオシンク、ステレオチューナ、ブロードキャスト無線受信機、フラットパネルディスプレイ、PMP、DVC、ディジタルオーディオプレーヤ、スピーカ、オーディオ受信機、ゲーム装置、オーディオ増幅器、データソース、データシンク、DSC、メディアプレーヤ、スマートフォン、テレビジョン、音楽プレーヤ等である。
【００１８】
一実施形態において、無線通信装置102、105及び/又は106は、無線通信装置102、105、106及び/又は後述するような1つ以上の他の無線通信装置との無線通信を実行する。無線通信装置102、105及び/又は106は、例えば、1つ以上のプロセッサ120、入力ユニット112、出力ユニット114、メモリユニット116及びストレージユニット116を含む。無線通信装置102、105及び/又は106は、選択的に、適切な他のハードウェア素子及び/又はソフトウェア素子を含む。一実施形態において、無線通信装置102、105及び/又は106の内の1つ以上における素子の全部又は一部は、共通のハウジング又はパッケージング内にあってもよいし、或いは1つ以上の有線又は無線リンクを用いて相互接続されていてもよいし又は動作可能に関連付けられていてもよい。他の形態において、無線通信装置102、105及び/又は106の内の1つ以上における素子は複数の又は別個の装置の間で分散されていてもよい。
【００１９】
プロセッサ120は、例えば、中央処理装置(CPU)、ディジタル信号プロセッサ(DSP)、1つ以上のプロセッサコア、シングルコアプロセッサ、デュアルコアプロセッサ、マルチコアプロセッサ、マイクロプロセッサ、ホストプロセッサ、コントローラ、複数のプロセッサ又はコントローラ、チップ、マイクロチップ、1つ以上の回路、回路、論理ユニット、集積回路(IC)、特定用途IC(ASIC)、又は他の適切な任意の汎用又は専用のプロセッサ又はコントローラを含む。プロセッサ120は、例えば、通信局106のオペレーティングシステム(OS)の命令、及び/又は1つ以上の適切なアプリケーションの命令を実行する。
【００２０】
入力ユニット112は、例えば、キーボード、キーパッド、マウス、タッチパッド、トラックボール、スタイラス、マイクロフォン、その他の適切なポインティングデバイス又は入力装置を含む。出力ユニット114は、例えば、モニタ、スクリーン、フラットパネルディスプレイ、陰極線管(CRT)ディスプレイユニット、液晶表示(LCD)ディスプレイユニット、プラズマディスプレイユニット、1つ以上のオーディオスピーカ又はイヤホン、又は適切な他の出力装置を含む。
【００２１】
メモリユニット118は、例えば、ランダムアクセスメモリ(RAM)、リードオンリメモリ(ROM)、ダイナミックRAM(DRAM)、同期DRAM(SD-RAM)、フラッシュメモリ、揮発性メモリ、不揮発性メモリ、キャッシュメモリ、バッファ、ショートタームメモリユニット、ロングタームメモリユニット、その他の適切なメモリユニットを含む。ストレージユニット116は、例えば、ハードディスクドライブ、フロッピディスクドライブ、コンパクトディスク(CD)ドライブ、CD-ROMドライブ、DVDドライブ、その他の適切な取り外し可能な又は取り外し可能でないストレージユニットを含む。メモリユニット118及び/又はストレージユニット116は、例えば、通信局106により処理されたデータを保存する。
【００２２】
一実施形態において、無線通信ユニット108は、例えば、無線通信信号、RF信号、フレーム、ブロック、伝送ストリーム、パケット、メッセージ、データアイテム及び/又はデータを送信及び/又は受信する1つ以上の無線送信機、受信機及び/又はトランシーバを含む。例えば、無線通信ユニット108は、無線ネットワークインタフェースカード(NIC)等を含んでいてもよいし、NIC等の一部分として実現されてもよい。
【００２３】
無線通信ユニット108は、1つ以上のアンテナ又は1つ以上のアンテナ群110を含む又はそれらに関連付けられている。アンテナ110は、例えば、内部RFアンテナ、外部RFアンテナ、ダイポールアンテナ、モノポールアンテナ、オムニ指向性アンテナ、エンドフェッドアンテナ、円偏波アンテナ、マイクロストリップアンテナ、ダイバーシチアンテナ等を含んでもよく、或いは無線通信信号、ブロック、フレーム、伝送ストリーム、パケット、メッセージ及び/又はデータを送信及び/又は受信するその他の適切なタイプのアンテナを含んでいてもよい。
【００２４】
一実施形態において、システム100はマルチバンド無線通信ネットワークの機能を実行してもよい。例えば、無線通信装置102、105及び/又は106は、2つ以上の無線通信周波数バンドにより通信を行うことが可能なマルチバンド無線通信装置を含んでいてもよい。例えば、無線通信ユニット108は、例えば60GHz周波数バンド及び2.4/5GHz周波数バンドのような2つ以上の無線周波数バンドで通信することが可能なマルチパンド無線通信ユニットを含んでいてもよい。
【００２５】
一実施形態において、装置106は例えば60GHz周波数バンドのような第1の無線通信周波数バンドで無線通信装置102、105及び/又はその他の無線通信装置と通信を行うことが可能であり、更に例えば2.4/5GHz周波数バンドのような第2の無線通信周波数バンドで無線通信装置102、105及び/又はその他の無線通信装置と通信を行うことが可能であってもよい。
【００２６】
一実施形態において、無線通信装置105は適切なアクセスポイント(AP)の機能を実行し、無線通信装置102、106及び/又はシステム100内の他の任意の無線通信装置は、例えばIEEE802.11標準仕様におけるAP通信局以外の通信局(非AP通信局)の機能を実行してもよい。この実施形態によれば、無線通信装置102、105及び/又は106はベーシックサービスセット(BSS)を形成し、装置105は2.4/5GHz周波数バンドにおける無線通信装置102及び106の間の通信管理を実行する。
【００２７】
一実施形態において、無線通信装置106は適切なパーソナルインデペンデントベーシックサービスセット(PBSS)、WLAN、WPAN、WVAN、ピコネット及び/又は他の任意の適切なネットワークの適切な任意の一部分として60GHz周波数バンドで通信してもよい。一例において、無線通信装置106は、例えば適切なPBSS制御ポイント(PBSS  Control  Point:PCP)のような制御局、或いはIEEE802.11及び/又はWGA標準仕様により規定されているような制御局の機能を実行してもよい。この例の場合、無線通信装置106は、60GHz周波数バンドにおける無線通信装置102、105及び/又は他の無線通信装置の通信を制御する。別の例において、無線通信装置106が非PCP通信局の機能を実行する一方、例えば無線通信装置102、105或いは他の無線通信装置のような他の装置が制御局の機能を実行してもよい。
【００２８】
一実施形態において、無線通信装置106は、後述するように、他の無線通信装置(例えば、装置102及び/又は105)との少なくとも1つの通信セッションを、第1の周波数バンド(例えば、60GHz、2.4GHz又は5GHz周波数バンド)と第2の周波数バンド(例えば、2.4GHz又は5GHz又は60GHz周波数バンド)との間で移行させることを調整、管理及び/又は実行することができる。
【００２９】
本願において使用されている「無線通信セッション」という用語は共通するトラフィック識別子(TID)を含む1つ以上のフレームを指し、そのフレームは、同一のBSS及び/又はPBSSに属する2つの装置のような無線通信ネットワークにおける無線通信装置の間で送受信される。
【００３０】
本願において使用される「セッショントランスファ」という用語は第1の周波数バンドから第2の周波数バンドへセッションを移すことを示し、例えば60GHz周波数バンドから2.4/5GHz周波数バンドへ、5GHzバンドから2.4/5GHzバンドへ、2.4/5GHzバンドから60GHzバンドへの移行、及び/又は任意の周波数の組み合わせによる移行に関連する。
【００３１】
一実施形態において、無線通信ユニット108は第1及び第2のセッショントランスファ動作モードの内の少なくとも1つを通じてセッショントランスファを実行することができる。第1のモード(非トランスペアレントモード)の場合、第1及び第2の周波数バンド間のセッショントランスファは媒体アクセス制御(MAC)レイヤより上位で処理される。第2のモード(トランスペアレントモード)の場合、第1及び第2の周波数バンド間のセッショントランスファはMACレイヤの中で処理され、後述するようにセッショントランスファが上位レイヤにとって「トランスペアレント」であるようにする。例えば、無線通信ユニットがトランスペアレントセッショントランスファモードをサポートしている場合、無線通信ユニット108は第1及び第2の無線通信周波数バンドの双方に同じステーション管理エンティティ(SME)を有していてもよい。
【００３２】
一実施形態において、無線通信ユニット108は、例えば後述するようなマルチバンド情報要素(IE)を用いて、無線通信ユニット108でサポート又は使用されている1つ以上のセッショントランスファモードを無線通信装置102に通知する。
【００３３】
一実施形態において、例えばセッショントランスファがトランスペアレントモードで実行される場合、少なくとも1つのセッションの間に、無線通信ユニット108は第1及び第2の周波数バンド双方において無線通信ユニット108を識別する同一のMACアドレスを使用してもよい。トランスペアレントモードは、例えばアプリケーションレベルにおけるセッションを遮断、リスタート及び/又は中断することなく、無線通信ユニット108が、例えばウェブブラウジングセッションのようなセッションを第1及び第2の無線通信周波数バンドの間で移行できるようにする。なぜなら、例えばインターネットプロトコル(IP)レイヤはセッションのトランスファの後に同じMACアドレスを使用し続けるからである。
【００３４】
別の実施形態において、無線通信ユニット108は、第1の無線通信周波数バンドにおける通信セッションの間に無線通信ユニット108を識別するために第1のMACアドレスを使用し、第2の無線通信周波数バンドにおける通信セッションの間に無線通信ユニット108を識別するために第1のMACアドレスとは異なる第2のMACアドレスを使用してもよい。この実施形態の場合、無線通信ユニット108は、第2の周波数バンドにセッションを移行する前に、例えば後述するように第2のMACアドレスをマルチバンドIEに含めることで、第2のMACアドレスを無線通信装置102に通知することができる。
【００３５】
一実施形態において、無線通信ユニット108は、第1の無線通信周波数バンドを介してマルチバンドIEを無線通信装置102へ送信してもよい。マルチバンドIEは、例えば後述するような第2の無線通信周波数バンドにおける無線通信ユニット108の動作及び/又は機能に関する情報を含む。例えば、無線通信ユニット108が60GHz周波数バンドにおけるマルチバンドIEを送信する場合、マルチバンドIEは2.4/5GHz周波数バンドにおける無線通信ユニット108の機能及び/又は動作に関する情報を含み、及び/又は例えば無線通信ユニット108が2.4/5GHz周波数バンドにおけるマルチバンドIEを送信する場合、マルチバンドIEは60GHz周波数バンドにおける無線通信ユニット108の機能及び/又は動作に関する情報を含む。
【００３６】
一実施形態において、無線通信ユニット108はセッショントランスファフレームの一部分としてマルチバンドIEを送信し、セッショントランスファフレームは、例えば後述するようなセッショントランスファ要求フレーム及び/又はセッショントランスファ応答フレームである。追加的又は代替的に、無線通信ユニット108は適切な他の任意のフレーム又は通信信号の一部分としてマルチバンドIEを送信してもよい。例えば無線通信ユニット108がPCP/APの機能を実行する場合、例えば無線通信ユニット108は、ビーコン、アソシエーションレスポンス、プローブレスポンス、アナウンスフレーム、情報リクエスト、情報レスポンス、サービスリクエスト(例えば、mmWaveSTAサービスリクエスト)、サービスレスポンス(例えば、mmWaveSTAサービスレスポンス)等の一部分としてマルチバンドIEを送信してもよい。例えば無線通信ユニット108が非PCP/非APの機能(PCP以外の機能又はAP以外の機能)を実行する場合、無線通信ユニット108は、アソシエーションリクエスト、リアソシエーションリクエスト、プローブリクエスト、情報リクエスト、情報レスポンス、サービスリクエスト(例えば、mmWaveSTAサービスリクエスト)、サービスレスポンス(例えば、mmWaveSTAサービスレスポンス)等の一部分としてマルチバンドIEを送信してもよい。
【００３７】
例えば無線通信ユニット108が2つより多い数の無線通信周波数バンドにおける通信をサポート又は実行する場合、無線通信ユニット108はフレーム又は通信信号により1つより多い数のマルチバンドIEを送信してもよい。例えば、無線通信ユニットが第1、第2及び第3の無線通信周波数バンドにおける通信をサポート又は実行する場合、無線通信ユニットは、第2の無線通信周波数バンドに対応する第1のマルチバンドIEと第3の無線通信周波数バンドに対応する第2のマルチバンドIEとを含むフレーム又は通信信号を、第1の無線通信周波数バンドで送信してもよい。
【００３８】
図2を参照するに、一実施形態におけるマルチバンドIE200が概略的に示されている。一実施形態において、マルチバンドIE200は、マルチバンド無線通信ユニット(例えば、無線通信ユニット108(図1))から無線通信装置(受信側の無線通信装置)(例えば、無線通信装置102(図1))へ送信される。マルチバンドIE200は、第1の無線通信周波数バンドで通信され、第2の無線通信周波数バンドにおける無線通信ユニットの動作及び/又は機能に関する情報を含む。
【００３９】
一実施形態において、マルチバンドIE200はマルチバンド制御フィールド202を含み、マルチバンド制御フィールドは例えば1オクテット(8ビット)のサイズ又は適切な他の任意のサイズを有する。
【００４０】
一実施形態において、マルチバンド制御フィールド202は1ビットのサイズ又は適切な他の任意のサイズを有する役割フィールド203を含み、役割フィールドは第2の無線通信周波数バンドで無線通信ユニットがコントローラとして機能するか否かを示す。無線通信ユニット108(図1)は、例えば、第1及び/又は第2の無線通信周波数バンドにおける1つ以上の役割を実行する。例えば、無線通信ユニット108(図1)は、60GHz周波数バンドにおけるPCP通信局又は非PCP通信局(PCPではない通信局)の機能を実行し、及び/又は2.4/5GHz周波数バンドにおける非AP通信局(APではない通信局)として動作してもよい。一実施形態において、無線通信ユニット108(図1)が第2の無線通信周波数バンドで非PCP/AP通信局として機能する場合、無線通信ユニット108(図1)は、第1の無線通信周波数バンドで送信されるIE200の役割フィールド203を、例えばゼロである第1の値に設定し、そうではない場合、例えば1である第2の値に設定する。
【００４１】
一実施形態において、マルチバンド制御フィールド202は、例えば1ビットのサイズ又は適切な他の任意のサイズを有する到達可能性フィールド204を含み、到達可能性フィールドは無線通信ユニットが第2の無線通信周波数バンドで受け手の無線通信装置からフレームを受信できるか否かを示す。例えば、無線通信ユニット108(図1)は、第1の無線通信周波数バンドで送信されるIE200の到達可能性フィールド204を使用して、無線通信ユニット108が第2の無線通信周波数バンドで無線通信装置102(図1)から通信信号を受信できるか否かを無線通信装置102(図1)に通知する。一実施形態において、無線通信ユニット108(図1)が第2の無線通信周波数バンドで無線通信装置102(図1)から通信信号を受信できない場合、無線通信ユニット108(図1)は到達可能性フィールド204を例えばゼロである第1の値に設定し、そうではない場合、例えば1である第2の値に設定する。例えばマルチバンドIE200が複数の受信側の無線通信装置に宛てられたブロードキャストフレームの一部分として送信される場合、到達可能性フィールド204の値は、通信ユニット108(図1)によって設定されなくてもよく、及び/又は受け手の無線通信装置によって無視されてもよい。
【００４２】
無線通信ユニット108(図1)が第2の無線通信周波数バンドで無線通信装置102から通信信号を受信できるか否かを判定するのに適切な任意の方法及び/又はアルゴリズムを、無線通信ユニット108(図1)は使用してよい。一実施形態において、例えば受信したマルチバンドIEのビーコンインターバル(BI)の長さフィールドが例えば後述するようにゼロより大きかった場合において、受け手の無線通信装置からマルチバンドIEを受信すると、無線通信ユニット108(図1)は受信したマルチバンドIEにより示されているチャネルに切り替え、受け手の無線通信装置からのフレームのチャネルをモニタ又は監視する。
【００４３】
一実施形態において、マルチバンド制御フィールド202は例えば1ビットのサイズ又は適切な任意のサイズを有するセッショントランスファモードフィールド206を含み、セッショントランスファモードフィールドは、無線通信装置でサポート又は使用されている少なくとも1つのセッショントランスファ動作モード(例えば、トランスペアレントセッショントランスファモード及び/又は非トランスペアレントセッショントランスファモード)を示す。一実施形態において、セッショントランスファモードフィールド206は、無線通信ユニット108(図1)が非トランスペアレントセッショントランスファモードをサポートしていることを示す例えばゼロである第1の値を有する、或いは無線通信ユニット108(図1)がトランスペアレント及び非トランスペアレントセッショントランスファモードの双方をサポートしていることを示す例えば1である第2の値を有する。
【００４４】
一実施形態において、マルチバンドIE200は、第2の無線通信周波数バンドにおいて無線通信ユニットを識別するのに使用されるMACアドレスの指標を選択的に含んでもよい。一実施形態において、マルチバンドIE200は、例えば6オクテットのサイズ又は適切な他の任意のサイズを有するMACアドレスフィールド214を選択的に含み、第2の無線通信周波数バンドにおいて無線通信ユニットを識別するのに使用されるMACアドレスを含む。一実施形態において、マルチバンド制御フィールド202は例えば1ビットのサイズ又は適切な他の任意のサイズを有するMACアドレスインジケータフィールド208を含み、MACアドレスインジケータフィールドはマルチバンドIE200がMACアドレスフィールド214を含んでいるか否かを示す。(例えば非トランスペアレントセッショントランスファが実行される場合において)例えば無線通信ユニットがMACアドレスフィールド214を使用して第2の無線通信周波数バンドにおいて無線通信ユニット108(図1)を識別する場合に、マルチバンドIE200がMACアドレスフィールド214を含んでいることを示すように、例えば無線通信ユニット108(図1)はMACアドレスインジケータフィールド208を例えば1である第1の値に設定し、或いは(例えばトランスペアレントセッショントランスファが実行される場合において)例えば無線通信ユニットが第1の無線通信周波数バンドにおいて現在使用されている同じMACアドレスを使用して、第2の無線通信周波数バンドにおいて無線通信ユニット108(図1)を識別する場合に、マルチバンドIE200がMACアドレスフィールド214を含んでいないことを示すように、例えば無線通信ユニット108(図1)はMACアドレスインジケータフィールド208を例えばゼロである第2の値に設定する。
【００４５】
一実施形態において、マルチバンドIE200は例えば1オクテットのサイズ又は適切な他の任意のサイズを有するチャネルフィールド216を含み、チャネルフィールドは、例えばチャネル番号で示されるチャネルであって第2の無線通信周波数バンドにおいて無線通信装置により使用されることになるチャネルを示す。一実施形態において、マルチバンド制御フィールド202は、例えば1ビットのサイズ又は適切な他の任意のサイズを有するチャネルアクティブフィールド210を含み、チャネルアクティブフィールドは、無線通信ユニットがフィールド216で示されているチャネルで動作しているか否か(アクティブであるか否か)を示す。例えば、チャネルアクティブフィールド210は、無線通信ユニットがフィールド216で示されているチャネルで動作していることを示す例えば1である第1の値と、無線通信ユニットがフィールド216で示されているチャネルで動作していないことを示す例えばゼロである第2の値とを有する。
【００４６】
一実施形態において、マルチバンド制御フィールド202は、適切な他の任意の情報を受け手の無線通信装置へ移すための1つ以上の追加的フィールド212を含んでもよい。
【００４７】
一実施形態において、マルチバンドIE200は、例えば1オクテットのサイズ又は適切な他のサイズを有する規制クラスフィールド218を含み、規制クラスフィールドは、例えば適切な国、領域及び/又は規制領域の条件等に基づいてマルチバンドIEが対象とする第2の無線通信周波数バンドのチャネル群を示す。
【００４８】
一実施形態において、マルチバンドIE200は、例えば6オクテットのサイズ又は適切な他の任意のサイズを有するBSS識別(BSSID)フィールド220を含み、第2の無線通信周波数バンドにおける無線通信ユニットを含むBSSのBSSIDを示す。例えば、BSSIDフィールド220は例えばBSS又はPBSSであるネットワークのBSSIDを含み、無線通信ユニット108(図1)は例えば役割フィールド202がゼロに設定されていた場合にフィールド216が示すチャネルに関しそのBSSIDに関連付けられる。BSSIDフィールド220は例えば役割フィールド202が1に設定されていた場合にフィールド216により示されているチャネルにおいて無線通信ユニット108(図1)により使用されるBSSIDを含む。BSSIDフィールド220は例えばチャネルアクティブフィールド210がゼロに設定されていた場合、保留及び/又は無視されてもよい。例えば無線通信ユニットがフィールド216で示されているチャネルに関連付けられていないことを示すために、チャネルアクティブフィールド210は1に設定され、BSSIDフィールド220はゼロに設定されてもよい。
【００４９】
一実施形態において、マルチバンドIE200は例えば2オクテットのサイズ又は適切な他の任意のサイズを有するBIフィールド222を含み、BIフィールドは第2の無線通信周波数バンドにおけるネットワークのBI長を示す。例えばBIフィールド222は、例えば役割フィールド203が1に設定されていた場合、フィールド216により示されているチャネルで動作する際に無線通信ユニットにより使用されるBI長を含む。BIフィールド222はPBSS又はBSSの観測されたBIを含み、例えば役割フィールド204がゼロに設定されていた場合、無線通信ユニット108(図1)はフィールド216により示されているチャネルにおいてそのPBSS又はBSSに関連付けられる。例えば無線通信ユニットがフィールド216により示されているチャネルにおいてBSS或いはPBSSのメンバでなかった場合、BIフィールド222はゼロの値を含んでもよい。
【００５０】
一実施形態において、マルチバンドIE200は例えば8オクテットのサイズ又は適切な他の任意のサイズを有するタイミング同期ファンクション(TSF)オフセットフィールド224を含み、TSFオフセットフィールドは、第1のネットワーク(第1の無線通信周波数バンドにおいて無線通信ユニットにより使用されるBSS又はPBSS)と第2のネットワーク(第2の無線通信周波数バンドにおいて無線通信ユニットにより使用されるBSS又はPBSS)との間のTSFオフセットを示す。例えば無線通信ユニットがフィールド216により示されている双方のチャネルでPBSS又はBSSのメンバであり、マルチバンドIE200がそのチャネルを介して送信される場合、TSFオフセットフィールド224は第1のネットワークのTSFに対する第1のネットワークのTSFの時間オフセットを、例えばマイクロ秒単位の2の補数形式で含んでいてもよい。例えば無線通信ユニットが第1及び第2の無線通信周波数バンド双方におけるBSS又はPBSSのメンバでなかった場合、TSFオフセットフィールド224はゼロに設定されてもよい。
【００５１】
一実施形態において、マルチバンドIE200は、例えば1オクテットのサイズを有しマルチバンドIE200を識別する要素識別子(ID)230、及び1オクテットのサイズを有しマルチバンドIE200の長さを示す長さフィールド232を含んでもよい。
【００５２】
図1を再び参照するに、一実施形態において、無線通信ユニット108は無線通信装置106及び102の間の少なくとも1つの通信セッションに対応するセッションタイムアウト期間を無線通信装置102と共に調整し、無線通信ユニット108がセッショントランスファタイムアウト期間の間に第1の無線通信周波数バンドで無線通信装置102と通信できない場合、無線通信ユニット108は、後述するように第1の無線通信周波数バンドから第2の無線通信周波数バンドへ通信セッションを移行させる。
【００５３】
一実施形態において、無線通信ユニット108は後述するようにタイムアウト期間を示すタイムアウトフィールドと、少なくとも1つの要求された通信セッションを示す少なくとも1つの制御フィールドとを含むリクエストフレームを、無線通信装置102へ送信する。  
一実施形態において、無線通信ユニット108は第1の無線通信周波数バンドにおいて無線通信装置102からマルチバンドIEを受信した後にセッショントランスファフレームを送信し、そのマルチバンドIE200は図2を参照しながら上述したように無線通信装置102が第2の無線通信周波数バンドで無線通信ユニット108からフレームを受信できることを示している。
【００５４】
一実施形態において、無線通信ユニットは、少なくとも要求された通信セッションについて少なくとも1つの確認又は認証されたセッションを示す応答フレームを無線通信装置102から受信する。後述するように、応答フレームに基づいて無線通信ユニット108は第1の無線通信周波数バンドから第2の無線通信周波数バンドへ、少なくとも1つの確認又は認証されたセッションのみを移行してもよい。
【００５５】
一実施形態において、無線通信ユニット108が例えばPBSS又はBSSのようなネットワークのメンバであった場合において、無線通信ユニット108がセッションリクエスト及び/又はレスポンスフレームを所定のチャネルで送信すると、無線通信ユニット108は使用されるレート及び/又は使用されるチャネルをフレームに含め、その使用されるレート及び/又はチャネルは、所定のチャネルで送信された最近送信されたマルチバンドIEにより示されている周波数バンドにおける最近の良好なアソシエーションのやり取りの最中に送信されたものである。
【００５６】
一実施形態において、無線通信装置108は、第1の無線通信周波数バンドのネットワークにおける他の無線通信装置(例えば、無線通信装置105)に、無線通信ユニット108がセッショントランスファを実行しようとしている又は実行したことを通知する。例えば、無線通信ユニットは、例えばIEEE802.11標準仕様で規定されているようなチャネルスイッチアナウンスメント又は拡張チャネルスイッチアナウンスメントフレームを第1の無線通信周波数バンドで送信してもよい。セッショントランスファを実行した後、無線通信ユニット108(図1)は、第2の無線通信周波数バンドにおいて規定されている適切な何らかの媒体アクセス規則に従う。
【００５７】
図3を参照するに、一実施形態によるセッショントランスファ要求フレーム300が概略的に示されている。一実施形態において、セッショントランスファ要求フレーム300は、例えば無線通信装置106(図1)のような無線通信装置又は例えば無線通信ユニット108(図1)のような無線通信ユニットから、例えば無線通信装置102(図1)のような受け手の無線通信装置へ送信され、例えば無線通信装置106(図1)及び無線通信装置102(図1)の間の少なくとも1つのセッションを第1の周波数バンドから第2の周波数バンドへ及び/又はその逆へのセッショントランスファを案内することを要求する。
【００５８】
一実施形態において、リクエストフレーム300はIEEE802.11標準仕様に従う例えばカテゴリフィールド302及び/又はアクションフィールド304のような、適切な任意の標準仕様に従う1つ以上のフィールドを含んでもよい。例えば、カテゴリフィールド302はフレーム300がセッショントランスファ処理に関連することを示す値を有し、及び/又はアクションフィールド304はフレーム300がセッショントランスファフレームであることを示す値を有する。
【００５９】
一実施形態において、リクエストフレーム300は例えば32ビットのサイズ又は適切な他の任意のサイズを有するリンクロストタイムアウト(LLT)フィールド306を含み、LLTフィールドは、無線通信ユニット108(及び無線通信装置102)が第1の無線通信周波数バンドにおいて無線通信装置102と通信できない場合に、第1の無線通信周波数バンドから第2の無線通信周波数バンドへ通信セッションを移す前に、無線通信ユニット108及び無線通信装置102が待機するLLT期間を示す。例えば、LLTフィールド306は、セッショントランスファを実行する前に、例えばMACプロトコルデータユニット(MPDU)のようなメッセージが第1の周波数バンドで無線通信装置102(図1)から無線通信ユニット108により受信された最後の時点以来、無線通信ユニット108(図1)が待機する最大期間を例えば秒数で示す。無線通信ユニット108(図1)は、例えば無線通信ユニット108(図1)が無線通信装置102(図1)と通信を予定しているが通信できないでいる期間の間、LLT値を減少させる。無線通信ユニット108(図1)はLLT値を初期LLT値又は他の値にリセットしてもよい。
【００６０】
一実施形態において、リクエストフレーム300は、例えば図2を参照しながら説明したようなマルチバンドIE200のような、第2の無線通信周波数バンドに対応するマルチバンドIEを含んでもよい。
【００６１】
一実施形態においてリクエストフレーム300は1つ以上のセッション制御フィールド310を含み、セッション制御フィールドの個数は、1ないし16個の間の何れか或いは適切な他の任意の個数であってもよい。一実施形態において、各々のセッション制御フィールド310は、無線通信ユニット108(図1)及び無線通信装置102(図1)の間におけるセッションに対応する。
【００６２】
一実施形態において、セッション制御フィールド310はセッション指示フィールド314を含み、セッション指示フィールドはセッション制御フィールド310に対応するセッションを示す。セッション指示フィールド314は、例えばIEEE802.11標準仕様に従うセッションのトラフィック識別子(TID)又は適切な他の任意のインジケータを含んでいてもよい。
【００６３】
一実施形態において、セッション制御フィールド310は、フィールド314により示されているセッションに関し、セッショントランスファがイネーブルにされるように要求されているか否か又はセッショントランスファがディセーブルにされるように要求されているか否かを示す制御フィールド312を含む。例えば、制御フィールド312は、セッショントランスファがイネーブルであるように要求されていることを示すために例えば1である第1の値に設定され、セッショントランスファがディセーブルであるように要求されていることを示すために例えばゼロである第2の値に設定されてもよい。
【００６４】
図4を参照するに、一実施形態によるセッショントランスファ応答フレーム400が概略的に示されている。一実施形態において、セッショントランスファ応答フレーム400は、例えば無線通信装置106(図1)のような他の無線通信装置(要求装置)からの例えばフレーム300(図3)のようなセッショントランスファ要求フレームに応答して、セッショントランスファ応答フレーム400が、例えば無線通信装置102(図1)のような無線通信装置(応答装置)から送信される。
【００６５】
一実施形態において、応答フレーム400は、例えばIEEE802.11標準仕様に従うカテゴリフィールド402及び/又はアクションフィールド404のような適切な任意の標準仕様に従う1つ以上のフィールドを含んでいてもよい。例えば、カテゴリフィールド402はフレーム400がセッショントランスファ処理に関連していることを示す値を含んでいてもよく、及び/又はアクションフィールド404はフレーム400がセッショントランスファ応答フレームであることを示す値を含んでいてもよい。
【００６６】
一実施形態において、応答フレーム400は、例えば図2を参照しながら上述したようなマルチバンドIE200のような、第2の無線通信周波数バンドにおける応答する装置の動作に対応するマルチバンドIE406を含む。
【００６７】
一実施形態において、応答フレーム400は要求フレーム300(図3)のセッション制御フィールド310に対応する1つ以上のセッション制御フィールド410を含み、セッション制御フィールドの個数は、1ないし16個の間の何れか或いは適切な他の任意の個数であってもよい。
【００６８】
一実施形態において、セッション制御フィールド410は、セッション制御フィールド410に対応するセッションを示すセッション指示フィールド414を含む。セッション指示フィールド414は、例えばIEEE802.11標準仕様に従う例えばセッションのトラフィック識別子(TID)又は適切な他の任意のインジケータを含んでもよい。
【００６９】
一実施形態において、セッション制御フィールド410は、フィールド414が示すセッションに関し、セッショントランスファがイネーブル又はディセーブルにされるように確認又は認証されているか否かを示す制御フィールド412を含む。例えば、制御フィールド412は、セッショントランスファがイネーブルにされるように確認又は認証されていることを示すために例えば1である第1の値に設定され、セッショントランスファがディセーブルにされるように確認又は認証されていることを示すために例えばゼロである第2の値に設定されてもよい。
【００７０】
図5を参照するに、第1及び第2の無線通信周波数バンドの間で無線通信セッションを移行させる実施形態による方法が概略的に示されている。一実施形態において、図5に示す方法の1つ以上の処理が例えばシステム100(図1)のようなシステムの1つ以上の要素によって実行され、例えば無線通信装置102及び/又は106(図1)のような1つ以上の無線通信装置、及び/又は例えば無線通信ユニット108(図1)のような無線通信ユニット等によって実行される。
【００７１】
ブロック502に関し、本方法は、少なくとも第1及び第2の無線通信周波数バンドで通信を行うことが可能な第1及び第2のマルチバンド無線通信装置の間でセッショントランスファタイムアウト期間を調整することを含み、そのセッショントランスファタイムアウト期間は、第1及び第2の無線通信装置の間の少なくとも1つの通信セッションに対応する。例えば、無線通信ユニット108(図1)は、本願で説明されているように無線通信装置102(図1)と共にLLT期間を調整する。
【００７２】
ブロック504に関し、例えば第1の無線通信ユニットが少なくともセッショントランスファタイムアウト期間にわたる時間の間第1の無線通信周波数バンドで第1の無線通信装置と通信できなかった場合、第1の無線通信周波数バンドから第2の無線通信周波数バンドへ少なくとも1つの通信セッションを移行させることを含む。例えば、無線通信ユニット108(図1)及び無線通信装置102(図1)は、2.4/5GHz周波数バンドから60GHz周波数バンドへ及び/又はその逆へ上述したように少なくとも1つのセッションを移行させてもよい。
【００７３】
ブロック510に関し、本方法は第1の無線通信装置から第2の無線通信装置へリクエストフレーム又は要求フレームを送信することを含む。リクエストフレームは、タイムアウト期間を示すタイムアウトフィールドと、少なくとも1つの要求された通信セッションを指定する少なくとも1つの制御フィールドとを含んでいてもよい。例えば、無線通信ユニット108(図1)は、上述したようにリクエストフレーム300(図3)を無線通信装置102(図1)へ送信してもよい。
【００７４】
ブロック512に関し、本方法は第2の無線通信装置から応答又はレスポンスを受信することを含む。
【００７５】
一実施形態において、応答はレスポンスフレームを含み、レスポンスフレームは少なくとも1つの要求された通信セッションについて確認された少なくとも1つのセッションを指定する。例えば無線通信ユニット108(図1)は上述したように無線通信装置102(図1)から応答フレーム400(図4)を受信する。この例におけるブロック505に関し、第1の無線通信周波数バンドから第2の無線通信周波数バンドへの少なくとも1つのセッションの移行は、確認された少なくとも1つのセッションのみを、第1の無線通信周波数バンドから第2の無線通信周波数バンドへ移行することを含む。例えば、無線通信ユニット108(図1)及び無線通信装置102(図1)は、上述したように2.4/5GHz周波数バンドから60GHz周波数バンドへ及び/又はその逆へ少なくとも1つの確認されたセッションを移行させてもよい。
【００７６】
ブロック506に関し、本方法は、第1の無線通信周波数バンドにおいて第1の無線通信装置から第2の無線通信装置へマルチバンドIEを送信することを含む。マルチバンドIEは、例えば、第1の無線通信装置が第2の無線通信周波数バンドにおいてコントローラとして機能するか否かを示す役割フィールド、及び/又は第1の無線通信装置が第2の無線通信周波数バンドで第2の無線通信装置からフレームを受信できるか否かを示す到達可能性フィールドを含んでいてもよい。例えば、無線通信ユニット108(図1)は、第1の無線通信周波数バンドにおいてマルチバンドIE200(図2)を無線通信装置102(図1)へ送信し、送信されたマルチバンドIEは、上述したように、第2の無線通信周波数バンドにおける無線通信ユニット108(図1)の動作及び/又は機能に対応する情報を含む。第1の無線通信装置は、上述したように、リクエストフレームの一部分として、及び/又は適切なその他の任意のフレーム又は通信信号の一部分としてマルチバンドIEを送信してもよい。
【００７７】
ブロック508に関し、本方法は、例えば第1の無線通信周波数バンドによりマルチバンドIEを第2の無線通信装置から受信することを含み、受信したマルチバンドIEは、第2の無線通信周波数バンドにおける第2の無線通信装置の動作及び/又は機能に関連する情報を含む。例えば、無線通信ユニット108(図1)は、第1の無線通信周波数バンドにおいて無線通信装置102(図1)からマルチバンドIE200(図2)を受信し、受信したマルチバンドIEは、上述したように第2の無線通信周波数バンドにおける無線通信装置102の動作及び/又は機能に関する情報を含む。第1の無線通信装置は、上述したように応答フレームの一部分として及び/又は適切な他の任意のフレーム又は通信信号の一部分としてマルチバンドIEを受信する。
【００７８】
一実施形態において、本方法は、第1の無線通信周波数バンドにおける少なくとも1つのセッションの間に第1のMACアドレスを用いて第1の無線通信装置を識別し、第2の無線通信周波数バンドにおける少なくとも1つのセッションの間に第1のMACアドレスとは異なる第2のMACアドレスを用いて第1の無線通信装置を識別することを含む。例えば、上述したように無線通信ユニット108(図1)は、第1の無線通信周波数バンドにおいて第1のMACアドレスを用いて無線通信装置102(図1)と通信し、例えばマルチバンドIE及び/又はセッショントランスファ要求フレームを送信し、第1のMACアドレスとは異なる第2のMACアドレスを用いて、第2の無線通信周波数バンドにおいて無線通信装置102(図1)と通信することで、非トランスペアレントなセッショントランスファ処理を実行してもよい。本実施形態におけるブロック505に関し、第1の無線通信装置はマルチバンドIEを第2の無線通信装置へ送信し、マルチバンドIEは第2のMACアドレスを含む。例えば、無線通信ユニット108(図1)は、上述したように第2のMACアドレスをフィールド214(図2)に含んでいるマルチバンドIE200(図2)を送信してもよい。
【００７９】
一実施形態において、本方法は、第1の無線通信周波数バンドにおける少なくとも1つのセッションの間に第1のMACアドレスを用いて第1の無線通信装置を識別し、第2の無線通信周波数バンドにおける少なくとも1つのセッションの間に第1のMACアドレスを用いて第1の無線通信装置を識別することを含む。例えば、上述したように無線通信ユニット108(図1)は、第1及び第2の無線通信周波数バンド双方において同じMACアドレスを用いて無線通信装置102(図1)と通信することで、トランスペアレントなセッショントランスファ処理を実行してもよい。
【００８０】
図6を参照するに、一実施形態による製品又は物品400が概略的に示されている。製品600は使用される論理(プログラム装置)604を保存するためのコンピュータ又はマシンにより読み取り可能なストレージ媒体602を含み、そのプログラム装置は例えば無線通信ユニット108(図1)、無線通信装置102(図1)及び/又は無線通信装置105(図1の機能の少なくとも一部を実行するためのものであり、及び/又は、図5に示す方法の1つ以上の処理を実行するためものである。
【００８１】
一実施形態において、製品600及び/又はマシン読み取り可能なストレージ媒体602は、データを保存することが可能な1つ以上のタイプのコンピュータ読み取り可能なストレージ媒体を含み、例えば、揮発性メモリ、不揮発性メモリ、取り外し可能なメモリ、取り外し可能でないメモリ、消去可能なメモリ、消去可能でないメモリ、書き込み可能なメモリ、再書き込み可能なメモリ等である。例えば、マシン読み取り可能なストレージ媒体602は、RAM、DRAM、ダブルデータレートDRAM(DDR-DRAM)、SDRAM、スタティックRAM(SRAM)、ROM、プログラム可能なROM(PROM)、消去可能でプログラム可能なROM(EPROM)、電気的に消去可能でプログラム可能なROM(EEPROM)、コンパクトディスクROM(CD-ROM)、コンパクトディスクレコーダブル(CD-R)、コンパクトディスクリライタブル(CD-RW)、フラッシュメモリ(例えば、NOR又はNANDフラッシュメモリ)、コンテンツアドレス可能メモリ(CAM)、ポリマーメモリ、位相変化メモリ、強誘電体メモリ、シリコン酸化物ナイトライド酸化物シリコン(SONOS)メモリ、ディスク、フロッピディスク、ハードドライブ、光ディスク、磁気ディスク、カード、磁気カード、光カード、テープ、カセット等である。コンピュータ読み取り可能なストレージ媒体は、リモートコンピュータから要求元コンピュータへダウンロード又は転送されたコンピュータプログラムを含む適切な任意の媒体を含み、コンピュータプログラムは、搬送波と共に実現されたデータ信号、又は通信リンク(例えば、モデム、無線又はネットワーク接続)を介した他の伝送媒体によって搬送される。
【００８２】
一実施形態において、論理装置604は命令、データ及び/又はコードを含み、マシンにより実行された場合に、本願において説明された方法、処理及び/又は手順をマシンが実行することを引き起こす。マシンは、例えば、適切な任意の、処理プラットフォーム、コンピュータプラットフォーム、コンピュータ装置、処理装置、コンピュータシステム、処理システム、コンピュータ、プロセッサ等であり、ハードウェア、ソフトウェア、ファームウェア等による適切な任意の組み合わせを用いて実現されてもよい。
【００８３】
一実施形態において、論理装置604は、ソフトウェア等(ソフトウェア、ソフトウェアモジュール、アプリケーション、プログラム、サブルーチン、命令、命令セット、コンピュータコード、ワード、値、シンボル等)を含んでもよいし、或いはソフトウェア等として実現されてもよい。命令は、ソースコード、コンパイルされたコード、解釈されたコード、実行可能なコード、スタティックコード、ダイナミックコード等のような適切な任意のタイプのコードを含んでもよい。命令は、所定の機能を実行するようにプロセッサに指示するために予め定められたコンピュータ言語、方法又はシンタックスに従って実行される。命令は、適切な任意のハイレベル、ローレベル、オブジェクト指向、ビジュアル、コンパイル及び/又はインタープリットプログラム言語を用いて実現され、プログラム言語は例えばC、C++、ジャバ(Java（登録商標）)、ベーシック(BASIC)、マトラボ(Matlab)、パスカル(Pascal)、ビジュアルベーシック(Visual  BASIC)、アセンブリ言語、マシンコード等である。
【００８４】
1つ以上の形態に関連して本願で説明された機能、処理、素子及び/又は特徴は、1つ以上の他の形態に関連して本願で説明された他の機能、処理、素子及び/又は特徴と共に互いに使用されてもよいし、それらに関連して互いに使用されてもよい。
【００８５】
本発明に関する特徴が本明細書において説明及び記述されてきたが、多くの修正例、代替例、変形例及び均等物が当業者に理解される。従って添付の特許請求の範囲はそのような修正例や変形例等を本発明の真の範囲内に包含するように意図されていることが、理解される。
以下、実施の形態による手段を例示的に列挙する。
［付記１］
少なくとも第1及び第2の無線通信周波数バンドで通信を行うことが可能なマルチバンド無線通信ユニットを有する装置であって、
前記無線通信ユニットは、前記第1の無線通信周波数バンドにおける無線通信装置との少なくとも1つのセッションの際に、媒体アクセス制御アドレスを用いて該無線通信ユニットを識別し、
前記無線通信ユニットは、前記第1の無線通信周波数バンドから前記第2の無線通信周波数バンドへ前記少なくとも1つのセッションを移行させ、前記第2の無線通信周波数バンドにおけるセッションの際に、前記の同じ媒体アクセス制御アドレスを用いて前記無線通信ユニットを識別する、装置。
［付記２］
前記無線通信ユニットがセッショントランスファフレームを前記無線通信装置へ送信し、前記セッショントランスファフレームは前記少なくとも1つのセッションに対応するセッショントランスファタイムアウト期間を規定し、
前記無線通信ユニットは、前記無線通信ユニットが前記セッショントランスファタイムアウト期間にわたって前記第1の無線通信周波数バンドで前記無線通信装置と通信できなかった場合に、前記第1の無線通信周波数バンドから前記第2の無線通信周波数バンドへ前記少なくとも1つの通信セッションを移行させる、付記1記載の装置。
［付記３］
前記無線通信ユニットは、前記第1の無線通信周波数バンドにおいてマルチバンド情報要素を前記無線通信装置へ送信し、該マルチバンド情報要素は、前記無線通信ユニットが前記第2の無線通信周波数バンドにおいてコントローラとして機能するか否かを示す役割フィールドを含む、付記2記載の装置。
［付記４］
前記マルチバンド情報要素は、前記無線通信ユニットが前記第2の無線通信周波数バンドにおいて前記無線通信装置からフレームを受信できるか否かを示す到達可能性フィールドを含む、付記3記載の装置。
［付記５］
前記無線通信ユニットは、セッショントランスファフレーム、ビーコンフレーム、アナウンスフレーム、アソシエーション要求フレーム、アソシエーション応答フレーム、リアソシエーション要求フレーム、リアソシエーション応答フレーム、プローブ要求フレーム及びプローブ応答フレームの内の少なくとも1つの一部分として前記マルチバンド情報要素を送信することが可能である、
［付記６］
前記無線通信ユニットは、前記第1の無線通信周波数バンドにおいて前記無線通信装置からマルチバンド情報要素を受信した後に前記セッショントランスファフレームを送信し、該マルチバンド情報要素は、前記無線通信装置が前記第2の無線通信周波数バンドにおいて前記無線通信装置からのフレームを受信できることを示している、付記3記載の装置。
［付記７］
前記無線通信ユニットが、タイムアウト期間を示すタイムアウトフィールドと少なくとも1つの要求された通信セッションを指定する少なくとも1つの制御フィールドとを含むセッショントランスファフレームを送信する、付記2記載の装置。
［付記８］
前記無線通信ユニットが、前記少なくとも1つの要求された通信セッションのうち確認された少なくとも1つのセッションを指定している応答信号を前記無線通信装置から受信し、前記無線通信ユニットは、前記確認された少なくとも1つのセッションのみを前記第1の無線通信周波数バンドから前記第2の無線通信周波数バンドへ送信する、付記7記載の装置。
［付記９］
前記第1及び第2の無線通信周波数バンドの内の一方が、60ギガヘルツの周波数バンド、2.4ギガヘルツの周波数バンド及び5ギガヘルツの周波数バンドの内の何れかであり、  前記第1及び第2の無線通信周波数バンドの内の他方が、60ギガヘルツの周波数バンド、2.4ギガヘルツの周波数バンド及び5ギガヘルツの周波数バンドの内の別のものである、付記1記載の装置。
［付記１０］
前記無線通信装置へ無線通信信号を送信するための少なくとも1つのアンテナを含む付記1記載の装置。
［付記１１］
少なくとも第1及び第2の無線通信周波数バンドで第2のマルチバンド無線通信装置と通信を行うことが可能な第1のマルチバンド無線通信装置を有するシステムであって、
前記第1の無線通信装置は、前記第1及び第2の無線通信装置間の少なくとも1つの通信セッションに対応するセッショントランスファタイムアウト期間を、前記第2の無線通信装置と共に調整し、
前記第1の無線通信装置が前記セッショントランスファタイムアウト期間にわたって前記第1の無線通信周波数バンドにおいて前記第2の無線通信装置と通信できなかった場合、前記第1の無線通信装置は、前記第1の無線通信周波数バンドから前記第2の無線通信周波数バンドへ前記少なくとも1つのセッションを移行させる、システム。
［付記１２］
前記第1の無線通信装置が、前記タイムアウト期間を示すタイムアウトフィールドと少なくとも1つの要求された通信セッションを指定する少なくとも1つの制御フィールドとを含む要求フレームを前記第2の無線通信装置へ送信する、付記11記載のシステム。
［付記１３］
前記第1の無線通信装置が前記少なくとも1つの要求された通信セッションのうち確認された少なくとも1つのセッションを指定する応答信号を受信し、前記無線通信装置が前記確認された少なくとも1つのセッションのみを前記第1の無線通信周波数バンドから前記第2の無線通信周波数バンドへ移行させる、付記12記載のシステム。
［付記１４］
前記第1の無線通信装置が前記第1の無線通信周波数バンドにおいてマルチバンド情報要素を前記第2の無線通信装置へ送信し、前記マルチバンド情報要素は役割フィールド及び到達可能性フィールドの内の少なくとも1つを含み、前記役割フィールドは前記第1の無線通信装置が前記第2の無線通信周波数バンドにおいてコントローラとして機能するか否かを示し、前記到達可能性フィールドは前記第1の無線通信装置が前記第2の無線通信周波数バンドにおいて前記第2の無線通信装置からフレームを受信できるか否かを示している、付記11記載のシステム。
［付記１５］
前記第1の無線通信装置が、前記第1の無線通信周波数バンドにおける少なくとも1つのセッションの際に第1の媒体アクセス制御アドレスを用いて前記第1の無線通信装置を識別し、
前記第1の無線通信装置が、前記第2の無線通信周波数バンドにおける少なくとも1つのセッションの際に、前記第1の媒体アクセス制御アドレスとは異なる第2の媒体アクセス制御アドレスを用いて前記第1の無線通信装置を識別し、
前記マルチバンド情報要素は前記第2の媒体アクセス制御アドレスを含んでいる、付記14記載のシステム。  
［付記１６］
前記第1の無線通信装置が、前記第1の無線通信周波数バンドにおける少なくとも1つのセッションの際に第1の媒体アクセス制御アドレスを用いて前記第1の無線通信装置を識別し、
前記第1の無線通信装置が、前記第2の無線通信周波数バンドにおける少なくとも1つのセッションの際に第1の媒体アクセス制御アドレスを用いて前記第1の無線通信装置を識別する、付記11記載のシステム。
［付記１７］
少なくとも第1及び第2の無線通信周波数バンドにおいて通信を行うことが可能な第1及び第2のマルチバンド無線通信装置の間でセッショントランスファタイムアウト期間を調整するステップであって、前記セッショントランスファタイムアウト期間は前記第1及び第2の無線通信装置の間の少なくとも通信セッションに対応している、ステップと、
前記第1の無線通信装置が、少なくとも前記セッショントランスファタイムアウト期間にわたって前記第1の無線通信周波数バンドにおいて前記第2の無線通信装置と通信できなかった場合に、前記第1の無線通信周波数バンドから前記第2の無線周波数バンドへ前記少なくとも1つの通信セッションを移行させるステップと
を有する方法。
［付記１８］
前記タイムアウト期間を示すタイムアウトフィールドと少なくとも1つの要求された通信セッションを指定している少なくとも1つの制御フィールドとを含むリクエストフレームを、前記第1の無線通信装置から前記第2の無線通信装置へ送信するステップと、
前記少なくとも1つの要求された通信セッションのうち確認された少なくとも1つのセッションを指定する応答信号を受信するステップと
を含み、前記第1の無線通信周波数バンドから前記第2の無線周波数バンドへ前記少なくとも1つの通信セッションを移行させる前記ステップにおいて、確認された少なくとも1つのセッションのみを、前記第1の無線通信周波数バンドから前記第2の無線周波数バンドへ移行させる、付記17記載の方法。
［付記１９］
前記第1の無線通信周波数バンドにおいて前記第1の無線通信装置から前記第2の無線通信装置へマルチバンド情報要素を送信するステップを更に有し、前記マルチバンド情報要素は役割フィールド及び到達可能性フィールドの内少なくとも1つを含み、前記役割フィールドは前記第1の無線通信装置が前記第2の無線通信周波数バンドにおいてコントローラとして機能するか否かを示し、前記到達可能性フィールドは前記第1の無線通信装置が前記第2の無線通信周波数バンドにおいて前記第2の無線通信装置からフレームを受信できるか否かを示している、付記17記載の方法。
［付記２０］
前記第1の無線通信周波数バンドにおける少なくとも1つのセッションの際に第1の媒体アクセス制御アドレスを用いて前記第1の無線通信装置を識別し、前記第2の無線通信周波数バンドにおける少なくとも1つのセッションの際に、前記第1の媒体アクセス制御アドレスとは異なる第2の媒体アクセス制御アドレスを用いて前記第1の無線通信装置を識別するステップを有し、
前記マルチバンド情報要素は前記第2の媒体アクセス制御アドレスを含んでいる、付記19記載の方法。
［付記２１］
前記第1の無線通信周波数バンドにおける少なくとも1つのセッションの際に第1の媒体アクセス制御アドレスを用いて前記第1の無線通信装置を識別し、前記第2の無線通信周波数バンドにおける少なくとも1つのセッションの際に第1の媒体アクセス制御アドレスを用いて前記第1の無線通信装置を識別するステップを有する、付記17記載の方法。
［付記２２］
所定の方法を無線通信装置に実行させる命令を保存しているストレージを有する製品であって、前記所定の方法は、
少なくとも第1及び第2の無線通信周波数バンドにおいて通信を行うことが可能な第1及び第2のマルチバンド無線通信装置の間でセッショントランスファタイムアウト期間を調整するステップであって、前記セッショントランスファタイムアウト期間は前記第1及び第2の無線通信装置の間の少なくとも通信セッションに対応している、ステップと、
前記第1の無線通信装置が、少なくとも前記セッショントランスファタイムアウト期間にわたって前記第1の無線通信周波数バンドにおいて前記第2の無線通信装置と通信できなかった場合に、前記第1の無線通信周波数バンドから前記第2の無線周波数バンドへ前記少なくとも1つの通信セッションを移行させるステップと
を有する製品。
［付記２３］
前記所定の方法が、
前記タイムアウト期間を示すタイムアウトフィールドと少なくとも1つの要求された通信セッションを指定している少なくとも1つの制御フィールドとを含むリクエストフレームを、前記第1の無線通信装置から前記第2の無線通信装置へ送信するステップと、
前記少なくとも1つの要求された通信セッションのうち確認された少なくとも1つのセッションを指定する応答信号を受信するステップと
確認された少なくとも1つのセッションのみを、前記第1の無線通信周波数バンドから前記第2の無線周波数バンドへ移行させるステップと
を有する、付記22記載の製品。
［付記２４］
前記所定の方法が、前記第1の無線通信周波数バンドにおいて前記第1の無線通信装置から前記第2の無線通信装置へマルチバンド情報要素を送信するステップを更に有し、前記マルチバンド情報要素は役割フィールド及び到達可能性フィールドの内少なくとも1つを含み、前記役割フィールドは前記第1の無線通信装置が前記第2の無線通信周波数バンドにおいてコントローラとして機能するか否かを示し、前記到達可能性フィールドは前記第1の無線通信装置が前記第2の無線通信周波数バンドにおいて前記第2の無線通信装置からフレームを受信できるか否かを示している、付記22記載の製品。
［付記２５］
前記所定の方法が、前記第1の無線通信周波数バンドにおける少なくとも1つのセッションの際に第1の媒体アクセス制御アドレスを用いて前記第1の無線通信装置を識別し、前記第2の無線通信周波数バンドにおける少なくとも1つのセッションの際に、前記第1の媒体アクセス制御アドレスとは異なる第2の媒体アクセス制御アドレスを用いて前記第1の無線通信装置を識別するステップを有し、
前記マルチバンド情報要素は前記第2の媒体アクセス制御アドレスを含んでいる、付記24記載の製品。
［付記２６］
前記所定の方法が、前記第1の無線通信周波数バンドにおける少なくとも1つのセッションの際に第1の媒体アクセス制御アドレスを用いて前記第1の無線通信装置を識別し、前記第2の無線通信周波数バンドにおける少なくとも1つのセッションの際に第1の媒体アクセス制御アドレスを用いて前記第1の無線通信装置を識別するステップを有する、付記22記載の製品。
【図１】
2014209779.tif 000003
【図２】
2014209779.tif 000004
【図３】
2014209779.tif 000005
【図４】
2014209779.tif 000006
【図５】
2014209779.tif 000007
【図６】
2014209779.tif 000008